(57)【要約】      （修正有）【課題】キャリーカートのハンドルの高さ調整可能なフックブラケットを提供する。【解決手段】横方向に延長するフレーム形態の主フレーム１０と、キャリーカート０１に積載される荷物をフック保持固定するために、突き出たフック体または穴スロットで、主フレーム１０の少なくともの一ヶ所に設けられた少なくともの一つのフック保持固定部２０と、スライドして高さ調整ができるように、キャリーカート０１にあるハンドル０２の二つの縦フレーム部０３に設けられ、それに伴い、該主フレーム１０が二つの縦フレーム部０３が高さ調整ができるように設けられている二つの滑りスリーブ部３０と、縦フレーム部０３の位置決めを行うための位置決め部、及び該位置決め部のロックとロック解除の切り替えを制御するための制御部を備える高さ調整固定ユニット４０とを含む。【選択図】図１
0003182700.tif 000002
【実用新案登録請求の範囲】
【請求項１】
横置きで、キャリーカート（０１）のハンドル（０２）に間隔を開けて配置された二つの縦フレーム部（０３）の間に設けられている高さ調整可能なフックブラケット（Ａ）であって、
両側端（１１）を備えてなる、横方向に延長するフレーム形態の主フレーム（１０）と、
キャリーカート（０１）に積載される荷物（０４）をフック保持固定するために、突き出たフック体または穴スロットで、主フレーム（１０）の少なくともの一ヶ所に設けられた、少なくともの一つのフック保持固定部（２０）と、
縦貫通穴の形態で、それぞれ、主フレーム１０の両側端（１１）に配置される二つの滑りスリーブ部（３０）であって、前記二つの滑りスリーブ部（３０）は、スライトして高さ調整ができるように、キャリーカート（０１）にあるハンドル（０２）の二つの縦フレーム部（０３）に設けられ、それに伴い、前記主フレーム（１０）が二つの縦フレーム部（０３）が高さ調整ができるように設けられている、二つの滑りスリーブ部（３０）と、
少なくとも、主フレーム（１０）の滑りスリーブ部（３０）の位置に設けられた高さ調整固定ユニット（４０）であって、前記高さ調整固定ユニット（４０）は、縦フレーム部（０３）の位置決めを行うための位置決め部（４１）、及び前記位置決め部（４１）のロックとロック解除の切り替えを制御するための制御部（４２）を備えている、高さ調整固定ユニット（４０）とを含み、
それにより、このような高さ調整可能なフックブラケット（Ａ）は、キャリーカート（０１）に積載される荷物（０４）の高さに応じて、高さ調整や位置決めが行われるように設けられていることを特徴とするキャリーカートのハンドルの高さ調整可能なフックブラケット。
【請求項２】
前記滑りスリーブ部（３０）の片側にはハンドル（０２）の縦フレーム部（０３）に通じる貫通口（３１）、貫通口（３１）の中には突当てブロック（３２）が設けられ、滑りスリーブ部（３０）の外側の前記貫通口（３１）に対応した位置には耳部（３３）が突き出すように設けられており、そして、クイックリースレバー形に設けられている高さ調整固定ユニット（４０）にあっては、フランジ形の前記位置決め部（４１）、及び前記位置決め部（４１）から外へ延伸したレバーに設けられた制御部（４２）により、前記位置決め部（４１）が軸部（３４）を通じて、滑りスリーブ部（３０）の外側にある耳部（３３）に設けられ、それにより、前記制御部（４２）は、軸部（３４）を回転支点として動かされ、前記位置決め部（４１）を、突当てブロック（３２）を縦フレーム部（０３）に押し当てさせ、ロックするように切り替え、または前記位置決め部（４１）を突当てブロック（３２）から離れさせ、ロック解除するように切り替え、制御しているが、ロック解除になったとき、前記滑りスリーブ部（３０）は、縦フレーム部（０３）に沿って、無段階で高さ調整ができるように設けられていることを特徴とする請求項１に記載のキャリーカートのハンドルの高さ調整可能なフックブラケット。
【請求項３】
前記滑りスリーブ部（３０）はプラスチック製で、高さ調整固定ユニット（４０Ｂ）を、前記滑りスリーブ部（３０）から一体成形したレバー形に設けることにより、前記位置決め部（４１Ｂ）を摩擦面として、滑りスリーブ部（３０）の内側に設けさせるように設けられるが、前記位置決め部（４１Ｂ）は常時に、縦フレーム部（０３）に直接に突き当てるように設けられ、制御部（４２Ｂ）は、前記滑りスリーブ部（３０）から外へ延伸したレバーに設けられ、前記制御部（４２Ｂ）の両側には、位置決め部（４１Ｂ）、制御部（４２Ｂ）が動くように柔軟性を持たせるための縦切込み（４３）が設けられており、滑りスリーブ部（３０）の外側には更に、突き出た固定グリップ（４４）が前記制御部（４２Ｂ）上方との間隔を開けて設けられており、それにより、前記レバーの制御部（４２Ｂ）が上へ動かされ、前記摩擦面の位置決め部（４１Ｂ）を、縦フレーム部（０３）から離れさせ、ロック解除するように切り替え、制御しているが、逆に、前記制御部（４２Ｂ）が動かされないとき、それ自身の柔軟性により、自動的に縦フレーム部（０３）に突き当てるように戻り、ロックすることになっているが、そして、ロック解除になったとき、前記滑りスリーブ部（３０）は、縦フレーム部（０３）に沿って、無段階で高さ調整ができるように設けられていることを特徴とする請求項１に記載のキャリーカートのハンドルの高さ調整可能なフックブラケット。
【請求項４】
前記高さ調整固定ユニット（４０Ｃ）は、段階的で高さ調整ができるように設けられ、前記制御部（４２Ｃ）は、長いフレキシブルプレート（４５）からなり、位置決め部（４１Ｃ）は、二つの縦向き歯付き部（４１１）と二つの嵌め歯部（４１２）を備えてなり、前記二つの縦向き歯付き部（４１１）は対向して、それぞれハンドル（０２）の二つの縦フレーム部（０３）の内側に、二つの嵌め歯部（４１２）は対向して、フレキシブルプレート（４５）の両側に設けられており、前記フレキシブルプレート（４５）は更に、その両端に近接した二つの長い通穴（４６）、及び前記両端の間に押当て制御部（４７）が設けられており、それに、主フレーム（１０）の底側の両側端（１１）に近接したところには、二つのリミット軸（１２）が横方向に設けられ、前記二つのリミット軸（１２）はそれぞれ、フレキシブルプレート（４５）の二つの長い通穴（４６）を通って、リミットフレキシブルプレート（４５）の組立状態をリミットし、フレキシブルプレート（４５）の両端に伸縮性を持たせるように設けられており、それにより、前記フレキシブルプレート（４５）が平らに延ばされているとき、両端の嵌め歯部（４１２）がそれに応じて、突き出して、二つの縦向き歯付き部（４１１）に嵌め込み、ロックするように設けられており、前記押当て制御部（４７）が圧力を受けると、フレキシブルプレート（４５）が曲がり、変形し、両端の嵌め歯部（４１２）がそれに応じて、内側へ縮んで、縦向き歯付き部（４１１）から離れ、ロック解除するように設けられており、このように、前記嵌め歯部（４１２）が縦向き歯付き部（４１１）に嵌め込む歯縁の高さにより、段階的で高さ調整ができるように設けられることを特徴とする請求項１に記載のキャリーカートのハンドルの高さ調整可能なフックブラケット。
【請求項５】
前記フック保持固定部（２０）は、突き出たフック体に設けられた場合、縦向きフック保持部（２１）と横向きスライド部（２２）を備えてなり、前記主フレーム（１０）には、縦向きフック保持部（２１）に対応した収納スロット（１３）、横向きスライド部（２２）に対応したスライドスロット（１４）が設けられ、前記フック保持固定部（２０）は、横向きスライド部（２２）が主フレーム（１０）のスライドスロット（１３）に設け、リミットされることにより、スライド伸縮するように設けられていることを特徴とする請求項１に記載のキャリーカートのハンドルの高さ調整可能なフックブラケット。
【考案の詳細な説明】
【技術分野】
【０００１】
本考案は、キャリーカートの局所構造に関わり、特にキャリーカートハンドルのオリジナルな高さ調整可能なフックブラケット構造形態に関する。
【背景技術】
【０００２】
キャリーカートは、駅、空港、ホテルなどの公共場所で広く応用され、使用者が荷物（注：鞄、提げ袋、ダンボール及びその他の物品などで、本明細書でいう荷物とは、それと同様に定義づけられる）の運搬や移動をするのに利用する、移動可能で積載する商品である。
【０００３】
キャリーカートは構造設計上、周知のように、通常は、キャリーカートの底部に積載部、該積載部の後側に縦方向に伸ばされたハンドル、及び積載部の底部にある複数の車輪を備えてなり、該ハンドルは構造上、横向きフレームが設けられているが、通常は、ハンドルに連結する固定式補強構造だけに設けられている。
【０００４】
キャリーカートに対して、要求される構造や機能は非常に簡単であるため、長い間、その主な仕組みや機能性に顕著な創造性がないようであるが、キャリーカートは実際の使用経験から、やはり次のような問題点が残されている。
【０００５】
キャリーカートは使用上、積載される荷物を安定して固定し、移動中の落下などを防ぐため、業界で、通常は、該ハンドルや横向きフレームの構造にフックを増設し、積載する荷物自身に付いているベルトをフック固定し、または積載する荷物の縄の端部をフッキングして、固定するように設けられているが、それに、該フックは、従来の構造から言えば、固定式に設けられ、即ち、配置される高さが決まっており、それに対して、キャリーカートが積載する荷物の高さは往々として、使用者により異なるものであり、そうなると、キャリーカートが積載する荷物的高さ、及びフックの配置される高さとは、大きなギャップが生じて、使用者がそれを使用しているとき、有効にフック固定できないという状態や問題点があり、キャリーカートの使用に大きな不十分な点や欠点にもなり、それを改善する必要がある。
【０００６】
それゆえ、上述した従来のキャリーカート構造に存在している問題点に対して、以下により理想的で、実用性のあるオリジナルな構造を開発するのが、使用者が望むことで、関連業者が努力して開発する目標と方向でもある。
【０００７】
それに鑑みて、考案者は、関連製品の製造開発や、設計に従事する長年の経験を持っており、上述した目標について詳しく設計、慎重に評価したうえ、ようやく、実用性のある本考案を得られたわけである。
【考案の概要】
【考案が解決しようとする課題】
【０００８】
本考案は、キャリーカートのハンドルの高さ調整可能なフックブラケットを提供することを目的とし、解決しようとする課題は、改良して、より理想的で、実用性のある新式キャリーカートハンドルフックブラケット構造を開発することである。
【課題を解決するための手段】
【０００９】
横置きで、キャリーカートのハンドルに間隔を開けて配置された二つの縦フレーム部の間に設けられている高さ調整可能なフックブラケットであり、
本考案の課題を解決しようとする技術特徴として、該高さ調整可能なフックブラケットは、両側端を備えてなる、横方向に延長するフレーム形態の主フレーム、キャリーカートに積載される荷物をフック保持固定するために、突き出たフック体または穴スロットで、主フレームの少なくともの一ヶ所に設けられた少なくともの一つのフック保持固定部、縦貫通穴の形態で、それぞれ、主フレームの両側端に配置される二つの滑りスリーブ部が備わり、該二つの滑りスリーブ部は、スライトして高さ調整ができるように、キャリーカートにあるハンドルの二つの縦フレーム部に設けられ、それに伴い、該主フレームが二つの縦フレーム部が高さ調整ができるように設けられており、少なくとも、主フレームの滑りスリーブ部の位置に設けられた高さ調整固定ユニットが備わり、該高さ調整固定ユニットは、縦フレーム部の位置決めを行うための位置決め部、及び該位置決め部のロックとロック解除の切り替えを制御するための制御部を備えてなっており、
【考案の効果】
【００１０】
このようなオリジナルな設計により、本考案に掲載した高さ調整可能なフックブラケットは、背景技術に対して、キャリーカートに積載される荷物の高さに応じて、高さ調整や位置決めが行われるように設けられ、利便性が高まり、荷物を固定する汎用性も向上し、異なる高さの荷物を、安定して固定できるという実用性、進歩性がある。
【図面の簡単な説明】
【００１１】
【図１】本考案の好適な実施例の組立立体図。
【図２】本考案の高さ調整固定ユニット及び滑りスリーブ部の分解立体図。
【図３】本考案の好適な実施例の組立断面図。
【図４】本考案の高さ調整に関する操作イメージ。
【図５】本考案の高さ調整固定ユニットのもう一つの実施例図。
【図６】図５の組立断面図。
【図７】図６の高さ調整に関する操作イメージ。
【図８】本考案の高さ調整固定ユニットの更にもう一つの実施例図。
【図９】図８の高さ調整に関する操作イメージ。
【図１０】本考案のフック保持固定部は穴スロットである場合の実施例図。
【図１１】本考案のキャリーカートに積載される荷物をフック保持固定する場合の実施例図。
【図１２】本考案の異なる高さの荷物をフック保持固定する場合の実施例図。
【考案を実施するための形態】
【００１２】
図１〜図４に示すのは、本考案のキャリーカートのハンドルの高さ調整可能なフックブラケットに関する好適な実施例であり、但し、これらの実施例は、説明用のみに限り、特許出願の際、これらの構造に制限されないものとする。横置きで、キャリーカート０１のハンドル０２に間隔を開けて配置された二つの縦フレーム部０３の間に設けられている高さ調整可能なフックブラケットＡであり、該高さ調整可能なフックブラケットＡは、
両側端１１を備えてなる、横方向に延長するフレーム形態の主フレーム１０、
キャリーカート０１に積載される荷物０４をフック保持固定するために、突き出たフック体または穴スロットで、主フレーム１０の少なくともの一ヶ所に設けられた、少なくともの一つのフック保持固定部２０が備わり、図１、図２に示すように、該フック保持固定部２０は主フレーム１０に突き出たフック体で、荷物０４をフック保持固定するように設けられ、該荷物０４は、鞄、提げ袋、ダンボール、貨物及びその他の物品などでもよいが、図１１に示すように、鞄を突き出たフック体にフック保持させるためのフック保持固定部２０、図１２に示すように、提げ袋を突き出たフック体にフック保持させるためのフック保持固定部２０の具体的な実施形態であり、または、図１０に示すように、該フック保持固定部２０は、フック体付き荷物０４をフック保持固定させるための穴スロットに設けられてもよいが、
縦貫通穴の形態で、それぞれ、主フレーム１０の両側端１１に配置される二つの滑りスリーブ部３０が備わり、該二つの滑りスリーブ部３０は、スライトして高さ調整ができるように、キャリーカート０１にあるハンドル０２の二つの縦フレーム部０３に設けられ、それに伴い、該主フレーム１０が二つの縦フレーム部０３が高さ調整ができるように設けられており、
少なくとも、主フレーム１０の滑りスリーブ部３０の位置に設けられた高さ調整固定ユニット４０が備わり、該高さ調整固定ユニット４０は、縦フレーム部０３の位置決めを行うための位置決め部４１、及び該位置決め部４１のロックとロック解除の切り替えを制御するための制御部４２を備えてなっており、
図１、図２に示すように、該フック保持固定部２０は、突き出たフック体に設けられた場合、縦向きフック保持部２１と横向きスライド部２２を備えてなり、該主フレーム１０には、縦向きフック保持部２１に対応した収納スロット１３、横向きスライド部２２に対応したスライドスロット１４が設けられ、該フック保持固定部２０は、横向きスライド部２２が主フレーム１０のスライドスロット１３に設け、リミットされることにより、スライド伸縮するように設けられ、それで、該縦向きフック保持部２１は、主フレーム１０に突き出し、または収納スロット１３に納められるという開閉状態になる。
【００１３】
上述した構造、組立や設計により、本考案の各実施例や使用、作動状況について、次のように説明する。
【００１４】
図２、図３に示すように、該滑りスリーブ部３０の片側にはハンドル０２の縦フレーム部０３に通じる貫通口３１、貫通口３１の中には突当てブロック３２が設けられ、滑りスリーブ部３０の外側の該貫通口３１に対応した位置には耳部３３が突き出すように設けられるが、そして、クイックリースレバー形に設けられている高さ調整固定ユニット４０にあっては、フランジ形の該位置決め部４１、及び該位置決め部４１から外へ延伸したレバーに設けられた制御部４２により、該位置決め部４１が軸部３４を通じて、滑りスリーブ部３０の外側にある耳部３３に設けられ、それにより、図４に示すように、使用者は両手で、該制御部４２を、軸部３４を回転支点として外へ動かし（矢印Ｌ１）、位置決め部４１を、突当てブロック３２から離させ、ロック解除するように行えるが、そこで、該滑りスリーブ部３０は、縦フレーム部０３に沿って、位置を上下調整する（矢印Ｌ２）という無段階で高さ調整ができるように設けられるが、使用者は、それを必要な位置に調整したとき、更に両手で、該制御部４２を、軸部３４を回転支点として内へ動かし、該位置決め部４１を、突当てブロック３２を縦フレーム部０３に押し当てさせ、ロックするように切り替えられる（図３）が、それにより、キャリーカート０１に積載される荷物０４の高さにより、高さ調整や位置固定が行われるというメリット、実用性がある  （図１１、図１２）。
【００１５】
または、該滑りスリーブ部３０はプラスチック製で、高さ調整固定ユニット４０Ｂを、該滑りスリーブ部３０から一体成形したレバー形に設けることにより、該位置決め部４１Ｂを摩擦面として、滑りスリーブ部３０の内側に設けさせるように設けられるが、該位置決め部４１Ｂは常時に、縦フレーム部０３に直接に突き当てるように設けられ、制御部４２Ｂは、該滑りスリーブ部３０から外へ延伸したレバーに設けられ、該制御部４２Ｂの両側には、位置決め部４１Ｂ、制御部４２Ｂが動くように柔軟性を持たせるための縦切込み４３が設けられており、滑りスリーブ部３０の外側には更に、突き出た固定グリップ４４が該制御部４２Ｂ上方との間隔を開けて設けられており、該位置決め部４１Ｂは、滑りスリーブ部３０の内側にある凸部形態に設けられ、摩擦して、縦フレーム部０３に押し当てて、位置固定するに設けられるが、しかし、それに限らず、該位置決め部４１Ｂは、滑りスリーブ部３０内側の粗面、凹凸面やギザギザ面などにも設けられるが、それにより、使用者は該レバーの制御部４２Ｂを上へ動かし、該摩擦面の位置決め部４１Ｂを、縦フレーム部０３から離させ、ロック解除するように切り替え、制御できるが、その時、該滑りスリーブ部３０は、縦フレーム部０３に沿って、位置を上下調整するという無段階で高さ調整ができるよう設けられるが、使用者は、それを必要な位置に調整して、制御部４２Ｂを離すと、それ自身の柔軟性により、位置決め部４１Ｂが自動的に、縦フレーム部０３に突き当てるというロック状態に戻るが、または、図５、図６，図７に示すように、該縦フレーム部０３は、凸部形態の位置決め部４１Ｂに対応して、間隔を開けて上下に配置される複数の貫通穴が設けられるが、使用者が該制御部４２Ｂを離すと、該位置決め部４１Ｂが位置に合わせて貫通穴に差し込み、固定し、段階的に高さ調整ができるように設けられる（図６）が、それと同じく、キャリーカート０１に積載される荷物０４の高さに応じて、高さ調整や位置決めが行われる。
【００１６】
図８に示すように、該高さ調整固定ユニット４０Ｃは、段階的で高さ調整ができるように設けられ、該制御部４２Ｃは、長いフレキシブルプレート４５からなり、位置決め部４１Ｃは、二つの縦向き歯付き部４１１と二つの嵌め歯部４１２を備えてなり、該二つの縦向き歯付き部４１１は対向して、それぞれハンドル０２の二つの縦フレーム部０３の内側に、二つの嵌め歯部４１２は対向して、フレキシブルプレート４５の両側に設けられており、該フレキシブルプレート４５は更に、その両端に近接した二つの長い通穴４６、及び該両端の間に押当て制御部４７が設けられており、それに、主フレーム１０の底側の両側端１１に近接したところには、二つのリミット軸１２が横方向に設けられ、該二つのリミット軸１２はそれぞれ、フレキシブルプレート４５の二つの長い通穴４６を通って、リミットフレキシブルプレート４５の組立状態をリミットし、フレキシブルプレート４５の両端に伸縮性を持たせるように設けられており、図９に示すように、使用者は手で、押当て制御部４７を上へ押し（矢印Ｌ３）、フレキシブルプレート４５を曲げ、変形するが、そこで、フレキシブルプレート４５の両端にある嵌め歯部４１２がそれに応じて、内側へ縮んで、縦向き歯付き部４１１から離れる、ロック解除するように設けられており、このように、滑りスリーブ部３０は、縦フレーム部０３に沿って、位置を上下調整するという段階的で高さ調整ができるように設けられるが、使用者は、それを必要な位置に調整して、押当て制御部４７を離すと、フレキシブルプレート４５が平らに延ばされるようになり、両端の嵌め歯部４１２がそれに応じて突き出して、二つの縦向き歯付き部４１１に嵌め込み、ロックするように設けられており（図８）、キャリーカート０１に積載される荷物０４の高さに応じて、段階的で、高さ調整や位置決めが行われる。
【００１７】
本考案による効果向上の事実は次の通り。
本考案に掲示した“キャリーカートのハンドルの高さ調整可能なフックブラケット”は、主フレーム、フック保持固定部、滑りスリーブ部及び高さ調整固定ユニットを備えてなるオリジナルな構造形態であり、本考案は［背景技術］に述べられた従来の構造に比べて、キャリーカートに積載される荷物の高さに応じて、高さ調整や位置決めが行われるように設けられ、利便性が高まり、荷物を固定する汎用性も向上し、異なる高さの荷物を、安定して固定できるという実用性、進歩性がある。
【００１８】
上述した実施例に掲示されたのは、本考案を具体的に説明するための内容であり、文の中で特定な専門用語を用いて説明してきたが、それらを以って、本考案の特許請求範囲を制限してはならず、この分野の分かる人は、本考案のコンセプトや考えなどを理解して、その変更や改造などを行って、それと同等な効果を得たとしても、それらの変更や改造などは全て、後述する特許請求の範囲に含まれるものとする。
【符号の説明】
【００１９】
高さ調整可能なフックブラケット  Ａ
キャリーカート                  ０１
ハンドル                        ０２
縦フレーム部                    ０３
荷物                            ０４
主フレーム                      １０
側端                            １１
リミット軸                      １２
収納スロット                    １３
スライドスロット                １４
フック保持固定部                ２０
縦向きフック保持部              ２１
横向きスライド部                ２２
滑りスリーブ部                  ３０
貫通口                          ３１
突当てブロック                  ３２
耳部                            ３３
軸部                            ３４
高さ調整固定ユニット            ４０，４０Ｂ，４０Ｃ
位置決め部                      ４１，４１Ｂ，４１Ｃ
縦向き歯付き部                  ４１１
嵌め歯部                        ４１２
制御部                          ４２，４２Ｂ，４２Ｃ
縦切込み                        ４３
固定グリップ                    ４４
フレキシブルプレート            ４５
長い通穴                        ４６
押当て制御部                    ４７
【図１】
0003182700.tif 000003
【図２】
0003182700.tif 000004
【図３】
0003182700.tif 000005
【図４】
0003182700.tif 000006
【図５】
0003182700.tif 000007
【図６】
0003182700.tif 000008
【図７】
0003182700.tif 000009
【図８】
0003182700.tif 000010
【図９】
0003182700.tif 000011
【図１０】
0003182700.tif 000012
【図１１】
0003182700.tif 000013
【図１２】
0003182700.tif 000014